(57)【要約】【課題】  より面白い動作をする振り子装置を提供すること。【解決手段】  振り子１１０と、振り子を揺動可能に支持した支持体１２０と、振り子を揺動する振り子駆動手段１３０と、支持体を駆動する支持体駆動手段１４０とを備え、支持体が駆動することにより、振り子が振り子駆動手段に対して相対移動する構成の振り子装置である。【選択図】図４
2005077147.tif 000002
【特許請求の範囲】
【請求項１】
振り子と、前記振り子を揺動可能に支持した支持体と、前記振り子を揺動する振り子駆動手段と、前記支持体を駆動する支持体駆動手段とを備え、前記支持体が駆動することにより、前記振り子が前記振り子駆動手段に対して相対移動することを特徴とする振り子装置。
【請求項２】
前記支持体は回転可能とし、且つ前記支持体には複数の前記振り子を支持したことを特徴とする請求項１記載の振り子装置。
【請求項３】
前記振り子は、ボールベアリングを介して前記支持体に軸支したことを特徴とする請求項１又は２記載の振り子装置。
【請求項４】
振り子と、前記振り子を揺動可能に支持した支持体と、前記振り子を揺動する振り子駆動手段とを備えた振り子装置において、前記振り子は、ボールベアリングを介して前記支持体に軸支したことを特徴とする振り子装置。
【発明の詳細な説明】
【技術分野】
【０００１】
本発明は、時計の装飾等に利用される振り子装置に関する。
【背景技術】
【０００２】
一般に、壁掛け時計や置き時計としては、装飾用の振り子装置を備えたものが知られている。この種の振り子装置は、例えば特許文献１乃至９にも開示されている。
【特許文献１】特開平６−１３８２５９号公報
【特許文献２】特開平７−１７４８６８号公報
【特許文献３】特開平８−１２２４５８号公報
【特許文献４】特開平１０−１６０８６４号公報
【特許文献５】特開平１１−２３７３５号公報
【特許文献６】特開平１１−４４７７６号公報
【特許文献７】特開平１１−１２５６８３号公報
【特許文献８】特開２００１−１２４８７１号公報
【特許文献９】特開２００１−２０８８６８号公報
【発明の開示】
【発明が解決しようとする課題】
【０００３】
さて近年、時計のデザインはますます多様化される傾向にあり、前述した振り子装置についても、装飾的に一層趣向を凝らしたものが望まれている。本発明は、かかる事情に鑑みてなされたものであり、その目的は、より面白い動作をする振り子装置を提供することである。
【課題を解決するための手段】
【０００４】
本願第１請求項に記載した発明は、振り子と、前記振り子を揺動可能に支持した支持体と、前記振り子を揺動する振り子駆動手段と、前記支持体を駆動する支持体駆動手段とを備え、前記支持体が駆動することにより、前記振り子が前記振り子駆動手段に対して相対移動する構成の振り子装置である。このような構成によると、より面白い動作をする振り子装置が得られる。すなわち、従来の振り子装置は、振り子の支持位置と振り子駆動手段とを固定して振り子を定常的に揺動するものが一般的であるところ、本発明は、振り子が振り子駆動手段に対して相対移動するという斬新な動きが得られるものである。振り子は、振り子駆動手段と対応する所定の位置において揺動する。
【０００５】
本願第２請求項に記載した発明は、請求項１において、前記支持体は回転可能とし、且つ前記支持体には複数の前記振り子を支持した構成の振り子装置である。このような構成によると、支持体に支持した複数の振り子が支持体の回転に伴いその回転軸を中心に回転し、複数の振り子のいずれかが振り子駆動手段と対応する所定の位置にもたらされるとその振り子が揺動する、という面白い動作が得られる。
【０００６】
本願第３請求項に記載した発明は、請求項１又は２において、前記振り子は、ボールベアリングを介して前記支持体に軸支した構成の振り子装置である。このような構成によると、支持体に対する振り子の支持が確実に安定化し、より精密で滑らかな振り子の揺動が得られる。
【０００７】
本願第４請求項に記載した発明は、振り子と、前記振り子を揺動可能に支持した支持体と、前記振り子を揺動する振り子駆動手段とを備えた振り子装置において、前記振り子は、ボールベアリングを介して前記支持体に軸支した構成の振り子装置である。このような構成によると、支持体に対する振り子の支持が確実に安定化し、より精密で滑らかな振り子の揺動が得られる。
【発明の効果】
【０００８】
本発明によれば、より面白い動作をする振り子装置を得ることができる。
【発明を実施するための最良の形態】
【０００９】
以下に、本発明の具体例を図面に基づいて詳細に説明する。図１乃至図４に示す時計１は、装飾用の振り子装置１００を備えたものである。この時計１は、所定の形状の時計ケース２００と、時計ケース２００の正面に係止具２００ａを用いて支持された透明板２１０と、時計ケース２００の内部に配置された中板２２０と、中板２２０の前面に支持された前板２３０とを備えている。振り子装置１００は、中板２２０に配置されている。
【００１０】
前板２３０の背面には、指針パイプ３１０を介して指針３２０を駆動するムーブメント３００が配置されている。指針パイプ３１０は前板２３０を貫通しており、指針３２０は前板２３０の正面において駆動する。
【００１１】
更に、前板２３０の背面には第２の振り子装置４００が設けられている。第２の振り子装置４００は、前板２３０に揺動可能に支持された所定の形状の振り子４１０と、前板２３０に設けられた振り子駆動手段４２０とを備えている。振り子駆動手段４２０は、磁気的作用にて振り子４１０を揺動する。具体的には、振り子４１０に設けられた磁石４１１がその近傍を通過する際に検出コイルに誘起電圧を発生し、検出コイルに誘起電圧が発生すると駆動コイルに電流が流れ、駆動コイルが磁石４１１を反発することにより振り子４１０を加勢する構成となっている。第２の振り子装置４００の振り子４１０は、定常的に揺動する。
【００１２】
時計ケース２００、中板２２０、及び前板２３０の要所には、振り子装置１００の要部を露呈する第１の露呈部２４０と、第２の振り子装置４００の振り子４１０に設けられた装飾体４１２を露呈する第２の露呈部２５０が設けられている。
【００１３】
本例の振り子装置１００は、それぞれ装飾体１１２が設けられた複数の振り子１１０（図例では４つ）と、複数の振り子１１０をそれぞれ揺動可能に支持した支持体１２０と、振り子１１０を揺動する振り子駆動手段１３０と、支持体１２０を駆動する支持体駆動手段１４０とを備え、支持体１２０が駆動することにより、振り子１１０が振り子駆動手段１３０に対して相対移動する構成となっている。各振り子１１０は、それぞれボールベアリング１１３を介して支持体１２０に軸支されている。尚、装飾体１１２の形状は模式的に円形で図示したが、その形状は適宜に設定可能である。
【００１４】
本例の支持体１２０は、その中央に回転軸部１２１を設けた円形の部材からなり、回転軸部１２１を中板２２０に設けられた円筒ボス２２１に保持することにより、回転軸部１２１を中心に上下方向に回転可能となっている。複数の振り子１１０は、この支持体１２０に対し、回転軸部１２１を中心に一定のピッチで円形配列されている。
【００１５】
振り子駆動手段１３０は、中板２２０の要所に設けられており、磁気的作用にて振り子１１０を揺動する。具体的には、振り子１１０に設けられた磁石１１１がその近傍を通過する際に検出コイルに誘起電圧を発生し、検出コイルに誘起電圧が発生すると駆動コイルに電流が流れ、駆動コイルが磁石１１１を反発することにより振り子１１０を加勢する構成となっている。振り子装置１００の振り子１１０は、振り子駆動手段１３０と対応する所定の位置において揺動する。つまり、支持体１２０の回転に伴いその回転軸部１２１を中心に上下方向に回転し（図４中矢印Ａ方向）、複数の振り子１１０のいずれかが振り子駆動手段１３０と対応する所定の位置にもたらされるとその振り子１１０が左右に揺動する（図４中矢印Ｂ方向）。図例は、振り子１１０が上下方向の最上部にもたらされると揺動するものである。時計１の正面側からは、第１の露呈部２４０の中央に位置する装飾体１１２が揺動するのを観察することができる。
【００１６】
支持体駆動手段１４０は、中板２２０に設けられたモータ１４１と、中板２２０に回転可能に設けられるとともにモータ１４１の出力カナ１４２と噛合された第１中間ギア１４３と、中板２２０に回転可能に設けられるとともに第１中間ギア１４３と噛合された第２中間ギア１４４とを備えている。第２中間ギア１４４は、支持体１２０の回転軸部１２１に装着された従動ギア１２２と噛合されており、支持体１２０は、モータ１４１が駆動することにより回転する。
【００１７】
かかる時計１は、所要のプログラムを格納したマイコン（図示はせず）にて制御されており、振り子装置１００は、所定の時刻になるとモータ１４１が駆動して支持体１２０が所定時間回転し、上下方向の最上部に位置する振り子１１０が入れ替わり、そして停止する構成となっている。このとき最上部を通過するのみの振り子１１０は、振り子駆動手段１３０の作用によって揺動しつつこの最上部を通過する。
【００１８】
また本例の場合、支持体１２０は透光性の部材からなるとともに、支持体１２０の後部の中板２２０には発光手段たる複数の発光ダイオード５００が設けられいる。そして、支持体１２０が回転する際には、不図示のスピーカからメロディー等の報知音を発生するとともに、複数の発光ダイオード５００がそれぞれ点灯する構成となっている。発光ダイオード５００の光は、支持体１２０を透して観察される。尚、発光ダイオード５００の個数、位置、及び点灯パターンは、適宜に設定することが可能であり、特に限定はしない。
【００１９】
以上説明したように、本例の振り子装置１００は、振り子１１０が振り子駆動手段１３０に対して相対移動するという斬新な動きが得られるものであり、時計１を装飾するものとして好適に利用することができる。また、本例における各部の構成は、特許請求の範囲に記載した技術的範囲において適宜に設計変更が可能であり、図例したものに限定されないことは勿論である。
【産業上の利用可能性】
【００２０】
本発明の振り子装置は、時計を装飾するものとして好適に利用することができる。
【図面の簡単な説明】
【００２１】
【図１】本発明の具体例に係り、時計を示す正面図である。
【図２】本発明の具体例に係り、時計を示す透視正面図である。
【図３】本発明の具体例に係り、時計を示す右側面断面図である。
【図４】本発明の具体例に係り、振り子装置を示す透視正面図である。
【符号の説明】
【００２２】
１    時計
１００    振り子装置
１１０    振り子
１１１    磁石
１１２    装飾体
１１３    ボールベアリング
１２０    支持体
１２１    回転軸部
１２２    従動ギア
１３０    振り子駆動手段
１４０    支持体駆動手段
１４１    モータ
１４２    出力カナ
１４３    第１中間ギア
１４４    第２中間ギア
２００    時計ケース
２００ａ    係止具
２１０    透明板
２２０    中板
２２１    円筒ボス
２３０    前板
２４０    第１の露呈部
２５０    第２の露呈部
３００    ムーブメント
３１０    指針パイプ
３２０    指針
４００    第２の振り子装置
４１０    振り子
４１１    磁石
４１２    装飾体
４２０    振り子駆動手段
５００    発光ダイオード
【図１】
2005077147.tif 000003
【図２】
2005077147.tif 000004
【図３】
2005077147.tif 000005
【図４】
2005077147.tif 000006